(57)【特許請求の範囲】
【請求項１】
送信機が送信したランダムアクセス要求信号を検出する受信機で使用する方法であって、該方法は、
ランダムアクセス要求信号を送信できる２以上の送信機によってアクセス可能なランダムアクセスチャネルを介して受信されるランダムアクセス要求信号が最初の検出しきい値より小さいかどうかを判断する段階と、
該ランダムアクセス要求信号が該最初の検出しきい値より小さいときには、該ランダムアクセス要求信号が少なくとも第１の電力しきい値より大きいかまたは少なくとも等しいかを判断する段階と、
該送信機が第１の所定の量だけ該ランダムアクセス要求信号の信号強度を増大し再送信することができるように、該ランダムアクセス要求信号が第１の電力しきい値より大きいかまたは等しいときには送信機に報告する段階とからなり、該第１の所定の量は、該最初の検出しきい値および第１の電力しきい値間の差に関連していることを特徴とする方法。
【請求項２】
送信機が送信したランダムアクセス要求信号を検出する受信機で使用する方法であって、該方法は、
ランダムアクセス要求信号を送信できる２以上の送信機によってアクセス可能なランダムアクセスチャネルを介して受信されるランダムアクセス要求信号が最初の検出しきい値より小さいかどうかを判断する段階と、
該ランダムアクセス要求信号が該最初の検出しきい値より小さいときには、該ランダムアクセス要求信号が少なくとも第１の電力しきい値より大きいかまたは少なくとも等しいかを判断する段階と、
該送信機が第１の所定の量だけ該ランダムアクセス要求信号の信号強度を増大し再送信することができるように、該ランダムアクセス要求信号が第１の電力しきい値より大きいかまたは等しいときには送信機に報告する段階と、
該ランダムアクセス要求信号が最初の検出しきい値および該第１の電力しきい値より小さいときには、該ランダムアクセス要求信号が第２の電力しきい値より大きいかまたは等しいかを判断する段階と、
該送信機が第２の所定の量だけ該ランダムアクセス要求信号の信号強度を増大し再送信することができるように、該ランダムアクセス要求信号が第２の電力しきい値より大きいかまたは等しいときには送信機に報告する段階とからなることを特徴とする方法。
【請求項３】
請求項２に記載の方法において、該方法はさらに、該送信機が第３の所定の量だけ信号の信号強度を増大し再送信することができるように、該信号が第２の電力しきい値より大きくないかまたは等しいときには該送信機に何の表示も送らない段階からなることを特徴とする方法。
【請求項４】
請求項１に記載の方法において、該方法はさらに、該信号が最初の検出しきい値より大きいかまたは等しいが無効なＣＲＣコードを含んでいるときには、該送信機が再送信できるように該送信機に報告する段階からなることを特徴とする方法。
【請求項５】
請求項１に記載の方法において、該方法はさらに、該信号が最初の検出しきい値より大きいかまたは等しいが有効なＣＲＣコードを含んでいるときには、該送信機に報告する段階からなることを特徴とする方法。
【請求項６】
請求項１に記載の方法において、該送信機が送信した該信号は、アクセス要求信号およびデータ・パケットのうちの一つであることを特徴とする方法。
【請求項７】
請求項１に記載の方法において、該受信機は基地局に存在することを特徴とする方法。
【請求項８】
請求項１に記載の方法において、該送信機は遠隔ターミナルに存在することを特徴とする方法。
【請求項９】
請求項１に記載の方法において、該受信機および送信機はＵＭＴＳに存在することを特徴とする方法。
【請求項１０】
請求項９に記載の方法において、該受信機はＲＡＣＨ受信機を含むことを特徴とする方法。
【請求項１１】
請求項１に記載の方法において、該判断段階が該信号の送信の終了前に実行されることを特徴とする方法。
【請求項１２】
送信機が送信したランダムアクセス要求信号を検出する装置であって、該装置は、
ランダムアクセス要求信号を送信できる２以上の送信機によってアクセス可能なランダムアクセスチャネルを介して受信されるランダムアクセス要求信号が最初の検出しきい値より小さいかどうかを判断し、該ランダムアクセス要求信号が最初の検出しきい値より小さいときには該ランダムアクセス要求信号が少なくとも第１の電力しきい値より大きいかまたは等しいかを判断するように、そして該ランダムアクセス要求信号が第１の電力しきい値より大きいかまたは等しいときには該送信機が第１の所定の量だけ該ランダムアクセス要求信号の信号強度を増大し再送信することができるように、該送信機に報告するよう構成されている受信機からなり、該第１の所定の量は、最初の検出しきい値および第１の電力しきい値間の差に関連していることを特徴とする装置。
【請求項１３】
送信機が送信したランダムアクセス要求信号を検出する装置であって、該装置は、
ランダムアクセス要求信号を送信できる２以上の送信機によってアクセス可能なランダムアクセスチャネルを介して受信されるランダムアクセス要求信号が最初の検出しきい値より小さいかどうかを判断し、該ランダムアクセス要求信号が最初の検出しきい値より小さいときには該ランダムアクセス要求信号が少なくとも第１の電力しきい値より大きいかまたは等しいかを判断するように、そして該ランダムアクセス要求信号が第１の電力しきい値より大きいかまたは等しいときには該送信機が第１の所定の量だけ該ランダムアクセス要求信号の信号強度を増大し再送信することができるように、該送信機に報告するよう構成されている受信機からなり、該受信機がさらに、該ランダムアクセス要求信号が該最初の検出しきい値および該第１の電力しきい値より小さいときには該ランダムアクセス要求信号が第２の電力しきい値より大きいかまたは等しいかを判断するように、そして該ランダムアクセス要求信号が第２の電力しきい値より大きいかまたは等しいときには該送信機が第２の所定の量だけ該ランダムアクセス要求信号の信号強度を増大し再送信することができるように、該送信機に報告するよう構成されていることを特徴とする装置。
【請求項１４】
請求項１３に記載の装置において、該受信機がさらに、該信号が該第２の電力しきい値より大きくないかまたは等しいときには、該送信機が第３の所定の量だけ信号の信号強度を増大し再送信することができるように該送信機に何の表示も行わないように構成されていることを特徴とする装置。
【請求項１５】
請求項１２に記載の装置において、該受信機がさらに、該信号が該最初の検出しきい値より大きいかまたは等しいが無効なＣＲＣコードを含んでいるときには、該送信機が再送信できるように該送信機に報告するように構成されていることを特徴とする装置。
【請求項１６】
請求項１２に記載の装置において、該受信機がさらに、該信号が該最初の検出しきい値より大きいかまたは等しいが有効なＣＲＣコードを含んでいるときには、該送信機に報告するように構成されている装置。
【請求項１７】
請求項１２に記載の装置において、該送信機が送信した該信号は、アクセス要求信号およびデータ・パケットのうちの一つであることを特徴とする装置。
【請求項１８】
請求項１２に記載の装置において、該受信機は基地局に存在することを特徴とする装置。
【請求項１９】
請求項１２に記載の装置において、該送信機は遠隔ターミナルに存在することを特徴とする装置。
【請求項２０】
請求項１２に記載の装置において、該受信機および送信機はＵＭＴＳに存在することを特徴とする装置。
【請求項２１】
請求項２０に記載の装置において、該受信機はＲＡＣＨ受信機を含むことを特徴とする装置。
【請求項２２】
請求項１２に記載の装置において、該受信機がさらに、該信号の送信の終了前に該しきい値判断を実行するように構成されていることを特徴とする装置。
【請求項２３】
送信機が送信したランダムアクセス要求信号を検出する、複数のしきい値を有する検出受信機であって、
ランダムアクセス要求信号を送信できる２以上の送信機によってアクセス可能なランダムアクセスチャネルを介して受信されるランダムアクセス要求信号が最初の検出しきい値より小さいかどうかを判断し、かつ該ランダムアクセス要求信号が該最初の検出しきい値より小さいときには、該ランダムアクセス要求信号が少なくとも第１の電力しきい値より大きいかまたは等しいかを判断する複数しきい値検出装置と、
該ランダムアクセス要求信号が該第１の電力しきい値より大きいかまたは等しいときには、該送信機が第１の所定の量だけ該ランダムアクセス要求信号の信号強度を増大し再送信することができるように該送信機に報告する送信セクションとからなり、該第１の所定の量は、最初の検出しきい値および第１の電力しきい値間の差に関連していることを特徴とする検出受信機。
【請求項２４】
送信機が送信した信号を検出する受信機で使用する電力を増大または低減する方法であって、
該信号が最初の検出しきい値より小さいときには、該信号が第１の電力しきい値より大きいかまたは等しいかを判断する段階と、
該信号が該第１の電力しきい値より大きいかまたは等しいときには、該送信機が第１の所定の量だけ信号の信号強度を増大し再送信することができるように該送信機に報告する段階と、
該信号が最初の検出しきい値および該第１の電力しきい値より小さいときには、該信号が第２の電力しきい値より大きいかまたは等しいかを判断する段階と、
該信号が第２の電力しきい値より大きいかまたは等しいときには、該送信機が第２の所定の量だけ信号の信号強度を増大し再送信することができるように該送信機に報告する段階と、
該信号が該第２の電力しきい値より大きくないかまたは等しいときには、該送信機が第３の所定の量だけ信号の信号強度を増大し再送信することができるように該送信機には何の表示も送らない段階とからなることを特徴とする方法。
【請求項２５】
ランダムアクセス要求信号の電力を増大または低減する送信機で使用する方法であって、該方法は、
ランダムアクセス要求信号を送信できる２以上の送信機によってアクセス可能なランダムアクセスチャネルを介して該ランダムアクセス要求信号を送信する段階と、
受信機が該ランダムアクセス要求信号を受信し、複数しきい値検出動作を行い、そして該ランダムアクセス要求信号が第１の電力しきい値より大きいかまたは等しいが最初の検出しきい値より小さいこと判断することに応答して、該受信機が、該ランダムアクセス要求信号の信号強度を第１の所定の量だけ増大させるよう報告したときに該信号強度を該第１の所定の量だけ増大させる段階と、
該ランダムアクセス要求信号を再送信する段階とからなり、該第１の所定の量は、最初の検出しきい値および第１の電力しきい値間の差に関連していることを特徴とする方法。
【請求項２６】
要求信号を再送信する段階と、ランダムアクセス要求信号の電力を増大または低減する送信機で使用する方法であって、該方法は、
ランダムアクセス要求信号を送信できる２以上の送信機によってアクセス可能なランダムアクセスチャネルを介して該ランダムアクセス要求信号を送信する段階と、
該ランダムアクセス要求信号を受信する受信機が、該ランダムアクセス要求信号が第１の電力しきい値より大きいかまたは等しいが最初の検出しきい値より小さいことを報告したときには、該ランダムアクセス要求信号の信号強度を第１の所定の量だけ増大する段階と、
該ランダムアクセス要求信号を再送信する段階と、
該ランダムアクセス信号が第２の電力しきい値より大きいかまたは等しいが該最初の検出しきい値および該第１の電力しきい値より小さいことを報告したときには、再送信を行うために、該ランダムアクセス信号の信号強度を第２の所定の量だけ増大する段階からなることを特徴とする方法。
【請求項２７】
請求項２６に記載の方法において、該方法はさらに、該受信機から何の表示も受信しないときには、再送信を行うために信号の信号強度を第３の所定の量だけ増大する段階からなることを特徴とする方法。
【請求項２８】
請求項２７に記載の方法において、該方法はさらに、該受信機が、該信号が該最初の検出しきい値より大きいかまたは等しいが無効なＣＲＣコードを含んでいると報告したときには、該信号を再送信する段階からなることを特徴とする方法。
【請求項２９】
請求項２５に記載の方法において、該送信機が送信した該信号はアクセス要求信号およびデータ・パケットのうちの一つであることを特徴とする方法。
【請求項３０】
請求項２５に記載の方法において、該受信機は基地局に存在することを特徴とする方法。
【請求項３１】
請求項２５に記載の方法において、該送信機は遠隔ターミナルに存在することを特徴とする方法。
【請求項３２】
請求項２５に記載の方法において、該受信機および送信機はＵＭＴＳに存在することを特徴とする方法。
【請求項３３】
請求項３１に記載の方法において、該受信機はＲＡＣＨ受信機を含むことを特徴とする方法。
【請求項３４】
ランダムアクセス要求信号の電力を増大または低減する装置であって、
該ランダムアクセス要求信号を送信できる２以上の送信機によってアクセス可能なランダムアクセスチャネルを介して該ランダムアクセス要求信号を送信し、関連する受信機が該ランダムアクセス要求信号を受信することに応答して、該受信機が再送信するために該ランダムアクセス要求信号が第１の電力しきい値より大きいかまたは等しいが該最初の検出しきい値より小さいことを報告したときには、再送信を行うために、該ランダムアクセス要求信号の信号強度を第１の所定の量だけ増大し、複数しきい値検出を行い、かつ該ランダムアクセス要求信号が第１の電力しきい値以上でありかつ最初の検出しきい値より小さいことを判断するように構成されている送信機からなり、該第１の所定の量は、最初の検出しきい値および第１の電力しきい値間の差に関連していることを特徴とする装置。
【請求項３５】
ランダムアクセス要求信号の電力を増大または低減する装置であって、
該ランダムアクセス要求信号を送信できる２以上の送信機によってアクセス可能なランダムアクセスチャネルを介して該ランダムアクセス要求信号を送信し、関連する受信機が該ランダムアクセス要求信号を受信し、複数しきい値検出動作を行い、そして該ランダムアクセス要求信号が第１の電力しきい値より大きいかまたは等しいが最初の検出しきい値より小さいこと判断することに応答して、該関連する受信機が、該ランダムアクセス要求信号の信号強度を第１の所定の量だけ増大させるよう報告したときには、再送信を行うために、該信号強度を該第１の所定の量だけ増大するように構成されている送信機からなり、
該送信機はさらに、該受信機が、該ランダムアクセス要求信号が第２の電力しきい値より大きいかまたは等しいが該最初の検出しきい値および該第１の電力しきい値よりは小さいことを報告したときには、再送信を行うために、該ランダムアクセス要求信号の信号強度を第２の所定の量だけ増大するように構成されていることを特徴とする装置。
【請求項３６】
請求項３５に記載の装置において、該送信機がさらに、該受信機から何の表示も受信しないときには、再送信を行うために、該信号の信号強度を第３の所定の量だけ増大するように構成されていることを特徴とする装置。
【請求項３７】
請求項３６に記載の装置において、該送信機がさらに、該受信機が、該信号が該最初の検出しきい値より大きいかまたは等しいが無効なＣＲＣコードを含んでいると報告したときには、該信号を再送信するように構成されていることを特徴とする装置。
【請求項３８】
請求項３４に記載の装置において、該送信機が送信した該信号がアクセス要求信号およびデータ・パケットのうちの一つであることを特徴とする装置。
【請求項３９】
請求項３４に記載の装置において、該受信機は基地局に存在することを特徴とする装置。
【請求項４０】
請求項３４に記載の装置において、該送信機は遠隔ターミナルに存在することを特徴とする装置。
【請求項４１】
請求項３４に記載の装置において、該受信機および送信機はＵＭＴＳに存在することを特徴とする装置。
【請求項４２】
請求項４１に記載の装置において、該受信機はＲＡＣＨ受信機を含むことを特徴とする装置。
【請求項４３】
送信機が送信した信号を検出する受信機で使用する方法であって、該方法は、
該信号が最初の検出しきい値より小さいときには、該信号が少なくとも第１の電力しきい値より大きいかまたは少なくとも等しいかを判断する段階と、
該送信機が第１の所定の量だけ信号の信号強度を増大し再送信することができるように、該信号が第１の電力しきい値より大きいかまたは等しいときには送信機に報告する段階と、
該信号が最初の検出しきい値および該第１の電力しきい値より小さいときには、該信号が第２の電力しきい値より大きいかまたは等しいかを判断する段階と、
該送信機が第２の所定の量だけ信号の信号強度を増大し再送信することができるように、該信号が第２の電力しきい値より大きいかまたは等しいときには送信機に報告する段階と、
該送信機が第３の所定の量だけ信号の信号強度を増大し再送信することができるように、該信号が第２の電力しきい値より大きくないかまたは等しいときには該送信機に何の表示も送らない段階からなることを特徴とする方法。
【請求項４４】
送信機が送信した信号を検出する装置であって、該装置は、
該信号が最初の検出しきい値より小さいときには該信号が少なくとも第１の電力しきい値より大きいかまたは等しいかを判断するように、そして該信号が第１の電力しきい値より大きいかまたは等しいときには該送信機が第１の所定の量だけ信号の信号強度を増大し再送信することができるように、該送信機に報告するように構成されている受信機からなり、
該受信機は、該信号が該最初の検出しきい値および該第１の電力しきい値より小さいときには該信号が第２の電力しきい値より大きいかまたは等しいかを判断するように、そして該信号が第２の電力しきい値より大きいかまたは等しいときには該送信機が第２の所定の量だけ信号の信号強度を増大し再送信することができるように、該送信機に報告し、該信号が該第２の電力しきい値より大きくないかまたは等しいときには、該送信機が第３の所定の量だけ信号の信号強度を増大し再送信することができるように該送信機に何の表示も行わないように構成されていることを特徴とする装置。
【請求項４５】
送信機が送信し受信機で受信した信号の電力を増大または低減する送信機で使用する方法であって、該方法は、
該受信機が、該信号が第１の電力しきい値より大きいかまたは等しいが最初の検出しきい値より小さいことを報告したときには、信号の信号強度を第１の所定の量だけ増大する段階と、
該信号を再送信する段階と、
該信号が第２の電力しきい値より大きいかまたは等しいが該最初の検出しきい値および該第１の電力しきい値より小さいことを報告したときには、再送信を行うために、信号の信号強度を第２の所定の量だけ増大する段階と、
該受信機から何の表示も受信しないときには、再送信を行うために信号の信号強度を第３の所定の量だけ増大する段階とからなることを特徴とする方法。
【請求項４６】
請求項４５に記載の方法において、該方法はさらに、該受信機が、該信号が該最初の検出しきい値より大きいかまたは等しいが無効なＣＲＣコードを含んでいると報告したときには、該信号を再送信する段階からなることを特徴とする方法。
【請求項４７】
信号の電力を増大または低減する装置であって、該装置は、
関連する受信機が、該信号が第１の電力しきい値より大きいかまたは等しいが該最初の検出しきい値より小さいことを報告したときには、再送信を行うために、信号の信号強度を第１の所定の量だけ増大するように構成されている送信機からなり、
該送信機はさらに、該受信機が、該信号が第２の電力しきい値より大きいかまたは等しいが該最初の検出しきい値および該第１の電力しきい値よりは小さいことを報告したときには、再送信を行うために、信号の信号強度を第２の所定の量だけ増大させ、かつ該受信機から何の表示も受信しないときには、再送信を行うために、該信号の信号強度を第３の所定の量だけ増大させるように構成されていることを特徴とする装置。
【請求項４８】
請求項４７に記載の装置において、該送信機がさらに、該受信機が、該信号が該最初の検出しきい値より大きいかまたは等しいが無効なＣＲＣコードを含んでいると報告したときには、該信号を再送信するように構成されていることを特徴とする装置。
【請求項４９】
送信機が送信した信号を検出する受信機で使用する電力を増大または低減する方法であって、該方法は、
ランダムアクセス要求信号を送信できる２以上の送信機によってアクセス可能なランダムアクセスチャネルを介して受信されるランダムアクセス要求信号の信号強度を２以上の検出しきい値に対してどのように比較するかを決定する段階と、
該送信機が、該ランダムアクセス要求信号の信号強度と該２以上の検出しきい値との比較結果に基づいて、１以上の所定の量のうちの１つの量だけ、該ランダムアクセス要求信号を調整するよう指示する段階と、
該調整されたランダムアクセス要求信号を再送信する段階とからなることを特徴とする方法。
【請求項５０】
送信機が送信したランダムアクセス要求信号を検出する受信機で使用する電力を増大または低減する方法であって、該方法は、
受信機が該ランダムアクセス要求信号を受信し、ランダムアクセス要求信号の信号強度が２以上の検出しきい値に対してどのように比較するかを判断することに応答して、該受信機が１以上の所定の量のうちの１つの量だけ該ランダムアクセス要求信号の信号強度を調整するよう指示するときに、該１以上の所定の量のうちの１つの量だけ該ランダムアクセス要求信号の信号強度を調整する段階と、
該調整されたランダムアクセス要求信号を再送信する段階とからなることを特徴とする方法。
【発明の詳細な説明】
【０００１】
【発明の属する技術分野】
本発明は、通信システムで電力の増大／低減（ｐｏｗｅｒ  ｒａｍｐｉｎｇ）を行うための方法および装置に関し、特に汎用移動無線通信システムの受信機で、複数のしきい値を持つ検出により電力を増大／低減するための質の高い方法および装置に関する。
【０００２】
【従来の技術、及び、発明が解決しようとする課題】
＜関連出願への相互参照＞
本出願は、本出願と同時に１９９８年１２月２日に出願した「高速待ち時間に対して短いＲＡＣＨフレームを供給するための方法および装置」という名称の米国特許出願番号０９／２０３，９３２に関連する。
移動通信にマルチメディア機能を内蔵させるために、この十年の間大きな努力が払われてきた。国際電気通信連合（ＩＴＵ）およびその他の団体が、未来の移動通信が、現在の固定ネットワークと、少なくとも同じ品質で、確実に、マルチメディアの種々の用途をサポートすることができる規格および勧告を作成しようと試みてきた。より詳細に説明すると、そのような次世代（第三世代）の移動システムを開発するために、多くの地球規模の研究プロジェクトが支援を受けてきた。ヨーロッパにおける「欧州高度通信技術研究開発計画」、ＲＡＣＥ−１およびＲＡＣＥ−２、および「高度通信技術およびサービス」（ＡＣＴＳ）は、ヨーロッパにおけるそのような努力の例である。エンドユーザに、マルチメディア通信、インターネット・アクセス、ビデオ／映像転送用に必要なサービス品質を提供するには、高いビット速度が必要であることは周知である。このような要件があるので、第三世代のシステムに対するベアラ機能目標は、全有効範囲エリアに対しては１秒間に３８４キロビット（ｋｂ／ｓ）、ローカル・エリア有効範囲に対しては１秒間に２メガビットと定められた。
【０００３】
汎用移動無線受信システム（ＵＭＴＳ）は、５メガヘルツの広帯域符号分割多元接続（Ｗ−ＣＤＭＡ）に基づく新しい無線アクセス・ネットワークであり、マルチメディアを使用することができる移動通信を含む第三世代のサービスをサポートするために最適化されている。ＵＭＴＳの主要な設計目標は、移動および固定通信用のインフラストラクチャを内蔵する広帯域のマルチメディア通信システムを提供することであり、また、とりわけ、固定および無線通信ネットワークが提供するのと同じ範囲のサービスを提供することであるので、ＵＭＴＳは、回線交換およびパケット交換サービス、種々の混合メディア・トラヒック・タイプ、および帯域幅オン・デマンドを提供しなければならない。しかし、マルチメディア・サポートを提供するということは、柔軟性が必要であること、すなわち、異なるビット速度の種々のサービスおよびＥb／Ｎ0要求をサポートできなければならないこと、およびこのようなサービスを多重サービス環境で多重化できなければならないことを意味する。ＵＭＴＳは上記要求をサポートできるように設計される。
【０００４】
図１について説明すると、この図は、ＵＭＴＳアクセスの例示としてのブロック図である。より詳細に説明すると、複数の遠隔ターミナル２および４（例えば、移動ターミナル）は、Ｗ−ＣＤＭＡ無線リンク８を通して、基地局（ＮＯＤＥ−Ｂ）６と通信する。遠隔ターミナルとしては、無線電話２または内部または外部モデムを備えたポータブル・パーソナル・コンピュータ４のような、種々の装置を使用することができる。ＵＭＴＳ規格の場合、基地局はＮＯＤＥ−Ｂと呼ばれる。これらの基地局は、無線リソース管理機能を提供し、無線ネットワーク・コントローラ（ＲＮＣ）と呼ばれるネットワーク構成部分と通信する。ＵＭＴＳは、Ｗ−ＣＤＭＡシステムであるので、ソフト・ハンドオフがサポートされる。ソフト・ハンドオフの場合には、一つの遠隔ターミナルにサービスを行う二つの基地局６が存在する。それ故、遠隔ターミナルは、これら二つの基地局に、フレームを送信する。これら二つの基地局が、遠隔ターミナルからフレームを受信した場合には、これらの基地局は、上記フレームをフレーム選択ユニット（ＦＳＵ）に送る。ＦＳＵは、フレームの品質に基づいてコア・ネットワークに送信するには、どのフレームがよいのかを決定する。ＵＭＴＳにおいては、ＦＳＵは、物理的にＲＮＣに内蔵されているので、図１に示すように、ＲＮＣおよびＦＳＵはブロック１０に示すようになっているが、ブロック１２（ＦＳＵ）およびブロック１４（ＲＮＣ）のように機能的には分離している。ＵＭＴＳネットワークの他の素子は、自宅および訪問先で情報を提供するｘＬＲデータベース２０、および相互依存機能（ＩＷＦ）ユニットのような従来の機能を実行する。汎用移動交換センター（ＵＭＴＳ）１６は、ＵＭＴＳにおいて、基地局６に対して移動交換センターとしての働きをすることを理解されたい。サブネットワーク１８は、無線サービス・プロバイダ・ネットワークであり、ＣＮ１−ＣＮｎは、遠隔ターミナルが最終的に接続されるコア・ネットワーク２４である。
【０００５】
図２について説明すると、この図は、ＵＭＴＳの通常のプロトコル・スタックである。ＵＭＴＳにおいては、レイヤ１（Ｌ１）は、ＭＡＣ（メディア・アクセス制御）レイヤおよびそれより高いレイヤに、情報転送サービスを行う物理的なレイヤ（ＰＨＹ）である。物理的レイヤ輸送サービスは、無線インターフェースの輸送チャネルを通して、どのように、またどんな特性で、データが転送されるのかで説明される。レイヤ２（Ｌ２）は、ＭＡＣ、ＬＡＣ（リンク・アクセス制御）およびＲＬＣおよびＲＬＣ’（無線リンク制御）を含むサブレイヤからなる。ＵＭＴＳにおいては、ＲＬＣで実行される機能は、分割されるので、二つのＲＬＣプロトコル（ＲＬＣおよびＲＬＣ’）が指定される。ＲＬＣレイヤおよびＭＡＣレイヤは、リアルタイムでのサービスおよびリアルタイムでないサービスを提供する。ＭＡＣレイヤは、異なるサービスからのデータ・ストリームの多重化を制御するが、多重化は行わない。すなわち、ＭＡＣレイヤは、論理チャネルを通して、多数の遠隔チャネルが、共通の物理的通信チャネル（例えば、放送チャネル）を共有できるようにする。ＩＰ（インターネット・プロトコル）はネットワーク・レイヤである。
【０００６】
「Ｕｕ」は、遠隔ターミナルと基地局との間のＵＭＴＳ専用インターフェースを意味し、一方、「Ｉｕｂ」は、基地局とＲＮＣ／ＦＳＵとの間のＵＭＴＳ専用インターフェースを意味する。無線アクセス・ネットワーク（すなわち、プロトコル・スタック上のＮＯＤＥ−Ｂ）のレイヤ２は、ＲＬＣレイヤおよびＭＡＣレイヤに分割され、一方、コア・ネットワーク（すなわち、プロトコル・スタック上のＮＯＤＥ−Ｂの右側）のレイヤ２は、例えば、ＡＴＭ（非同期転送モード）またはフレーム・リレーのようなネットワーク・レイヤ・フレームを輸送するために使用される技術により深く関連している。この図では、ＩＰは輸送プロトコルであるが、ＵＭＴＳはそのように制限されていない。すなわち、ＵＭＴＳは他の運動プロトコルを収容することができる。上記プロトコルについてもっと知りたい場合には、（１９９８年９月の）ＩＥＥＥ通信マガジンの７０〜８０ページ掲載のダールマン他の「広帯域に基づくＵＭＴＳ／ＩＭＴ−２０００」、および（１９９８年９月の）Ｔｄｏｃ  ＳＭＧ２  ＵＭＴＳ−Ｌ２３  １７２／９８の、ＥＴＳＩ  ＳＭＧ２／ＵＭＴＳ  Ｌ２＆Ｌ３専門家グループ、｛ＭＳ−ＵＴＲＡＮ無線インターフェース・プロトコル・アーキテクチャ；ステージ２を参照されたい。
【０００７】
ＵＭＴＳのメディア・アクセス制御（ＭＡＣ）プロトコルに関連する論理チャネルの中の一つのとしては、ランダム・アクセス・チャネル（ＲＡＣＨ）がある。ＲＡＣＨは、遠隔ターミナルから制御情報および短いユーザ・パケットを運ぶために使用されるアップリンクの共通の輸送チャネルである。図３Ａについて説明すると、この図は、ＵＭＴＳ基地局（図１のＮＯＤＥ−Ｂ）で使用するための、コヒーレントでないＲＡＣＨ検出アルゴリズムの、例示としてのハードウェアの実施形態のブロック図である。ＲＡＣＨ受信機３０は、下記の機能、すなわち、検出、復調および解読、および受信通知を供給することができる。この検出の目的は、ＲＡＣＨバースト（すなわち、アクセス要求信号）が、遠隔ターミナルにより送信されたものであるかどうか、また入力バーストの最も強い多重経路成分を決定することである。受信機３０も、遠隔ターミナルの識別子および要求したサービスを確認するために、対応するＲＡＣＨに含まれているメッセージを復調し、解読する。遠隔ターミナルのＲＡＣＨ送信を解読した後で、受信機は、順方向アクセス・チャネル（ＦＡＣＨ）を通して、基地局が遠隔ターミナルに送信する受信通知信号を発生する。
【０００８】
ＲＡＣＨ受信機３０は、好適には、下記の構造に従って上記機能を実行することが好ましい。ＲＡＣＨ送信バーストは、ミキサ３２により受信および復調され、フィルタ３４で濾波される。その後で、信号は、サンプリング・ユニット３６で標準化される。デスプレッダ３８は、この場合は、５１２ゴールド・コードである拡散シーケンスに従って信号を解読する。解読された信号はバッファされ（バッファ４０）、タイム・シフティング・ユニット５０に送られる。また、デスプレッダ３８の出力は、インテグレータ４２に送られる。インテグレータ４２の出力は混合され（ミキサ４４）、タイミング検出装置４６に送られ、その後で、しきい値検出装置４８に送られる。しきい値検出装置４８の出力は、遠隔ターミナルから有効な信号を受信したかどうかを示す。この結果は、タイム・シフティング・ユニット５０に送られる。上記信号が、有効な信号（例えば、所定のしきい値より大きい）である場合には、解読信号はユニット５２によりダウン・サンプリングされる。その後で、以下に説明する前文により、信号は１６のタップ・フィルタ・ユニット５４を通って前文署名捜索装置５６に送られる。捜索装置５６の出力は、基地局にコード化した遠隔ターミナルの識別子、および遠隔ターミナルが要求したサービスに関する情報を提供する。その後で、コード化された情報は、コンボルーショナル・デコーダ５８により解読され、ＣＲＣＫ（巡回冗長チェック）デコーダ５９によりチェックされる。
【０００９】
図３Ｃについて説明すると、この図は、ＵＭＴＳ遠隔ターミナル（例えば、遠隔ターミナル２および４）で使用するための、アップリンク送信機６０の例示としてのハードウェアの実施形態のブロック図である。ＵＭＴＳの遠隔ターミナルにおいては、データ変調は、二重チャネルＱＰＳＫ（四元位相シフト・キーイング）である。すなわち、ＩチャネルおよびＱチャネルが、二つの独立のＢＰＳＫ（二元位相シフト・キーイング）チャネルとして使用される。信号アップリンクＤＰＤＣＨ（専用の物理的データ・チャネル）の場合には、ＤＰＤＣＨおよびＤＰＣＣＨ（専用の物理的制御チャネル）は、それぞれ、ミキサ６２および６４により、二つの異なるチャネル化コード（ＣCおよびＣD）により拡散され、そして、ＩブランチおよびＱブランチにより送信される。ＩブランチおよびＱブランチは、ＩＱ  ＭＵＸ６６で多重化される。その後で、全拡散信号Ｉ＋ｊＱは、ミキサ６８で、接続専用複合スクランブル化コードにより複合スクランブルされる。その後で、信号の実数の部分は、ルート冪乗コサイン・フィルタ７０により濾波される。一方、信号の虚数の部分は、ルート冪乗コサイン・フィルタ７２により濾波される。フィルタ７０の出力は、ミキサ７４でｃｏｓ（ωｔ）信号により変調される。フィルタ７２の出力は、ミキサ７６で−ｓｉｎ（ωｔ）信号により変調される。その後で、二つの変調された信号は、加算器７８で加算される。さらに、合成信号は、アンプ８０で所定の信号強度（すなわち、電力レベル）まで増幅され、その後で、アンテナ（図示せず）により送信される。基地局では、類似の装置を使用することができる。
【００１０】
図３Ｂについて説明すると、この図は、現在のＵＭＴＳ受信機で、検出アルゴリズムがどのように機能するかを示す図面である。遠隔ターミナルからＵＭＴＳ基地局へ送られたアクセス要求信号が、例えば、（７ｄＢに等しい）ＤＴＨＲＥＳＨ１のような、検出しきい値より大きい場合には、受信機は、信号を検出し、メッセージをたたみこみデコーダ５８、およびＣＲＣデコーダ５９に送ることができる。ＣＲＣが正しい場合には、受信機は、送信すべき受信通知信号を送信側に送る。この送信は、周知のように、基地局の送信セクションを通して行うことができる。すなわち、送信セクションは、受信機のＣＲＣデコーダ５９からの表示を受信し、それに応じて、受信通知信号を発生し、送信する。しかし、受信機は、信号しきい値以下に下がった信号を識別することはできない。この問題は、受信機が、単に弱い信号強度を持つ有効なアクセス信号と、ノイズまたは衝突効果信号とを区別しないために起こる。例えば、図３Ｂに示すように、受信機は遠隔ターミナルから送られた信号１を検出することはできるが、検出しきい値レベル以下に下がった信号強度を持つ信号、すなわち、信号２を検出することはできない。何故なら、現在のＵＭＴＳ受信機は、一つの信号検出しきい値しか持っていないからである。現在の検出アルゴリズムを使用した場合には、受信機は、信号がＤＴＨＲＥＳＨ１より大きく、アクセス要求メッセージのＣＲＣが正しい場合には、受信通知信号（例えば、「正しく受信」信号）を送信するだけである。他のすべての場合、送信側は、（例えば、出力アンプ８０を調整することにより）、例えば、３ｄＢだけ信号強度を増大する必要がある。しかし、元の信号電力が、ＤＴＨＲＥＳＨ１より少しだけ弱い場合には、３ｄＢの電力増大は大きすぎる場合がある。その場合には、受信機が飽和したり、そのエリア内で送信中の他の信号と干渉を起こす場合がある。
【００１１】
【課題を解決するための手段】
本発明は、例えば、ＵＭＴＳのような、通信システムの受信機で複数の検出しきい値を提供するための方法および装置を提供する。この方法により、本発明を実行している受信機は、信号しきい値以下に下がった信号を識別することができる。都合のよいことに、受信機は、単に弱い信号強度しか持たない有効なアクセス信号と、ノイズまたは衝突効果信号とを区別する。また、本発明を使用すれば、送信側は、受信機から受信したメッセージの内容に基づいて、送信電力レベルを増分ずつ増大することができ、それにより、送信側が受信機を飽和させたり、そのエリア内で送信中の他の信号との干渉を起こすような、信号強度の増大を行うような可能性を低減する。
【００１２】
本発明をある観点から見た場合、本発明は、信号が最初のしきい値より小さい場合に、その信号が第一の電力しきい値より大きいか、または少なくとも等しいかどうかを判断し、送信機が第一の所定の量だけ信号強度を増大し、再送信することができるように、信号が第一の電力しきい値より大きいか、または等しい場合に、送信機に知らせるような、送信機が送信した信号を検出するための受信機で使用するための方法である。好適には、また、好適には、上記方法は、信号が最初の検出しきい値および第一の電力しきい値より小さい場合には、その信号が第二の電力しきい値より大きいか、または等しいかを判断するステップと、送信機が、第二の所定の量だけ信号の信号強度を増大し、再送信することができるように、信号が第二の電力しきい値より大きいか、または等しい場合に、送信機に知らせるステップとを含むことが好ましい。さらに、上記方法は、好適には、送信機が、第三の所定の量だけ信号の信号強度を増大し、再送信することができるように、信号が第二の電力しきい値より大きくないか、または等しい場合に、送信機に表示を送信しないステップを含むことが好ましい。また、上記方法は、好適には、送信機が再送信できるように、信号が最初の検出しきい値より大きいか、または等しいが、無効なＣＲＣコードを含んでいる場合には、送信機にそれを知らせるステップを含んでいることが好ましい。
【００１３】
本発明を他の観点から見た場合、本発明は、受信機が、信号が第一の電力しきい値より大きいか、または等しいが、最初の検出しきい値以下であることを報告し、信号を再送信した場合に、信号の信号強度を第一の所定の量だけ増大するステップを含む、送信機が送信し、受信機が受信した信号の電力増大／低減するために送信機で使用するための方法である。上記方法は、また、好適には、受信機が、信号が第二の電力しきい値より大きいか、または等しいが、最初の検出しきい値および第一の電力しきい値以下であることを報告した場合に、再送信するために、信号の信号強度を第二の所定の量だけ増大するステップを含むことが好ましい。さらに、上記方法は、好適には、受信機が何の表示を受信しない場合には、再送信するために、信号の信号強度を第三の所定の量だけ増大するステップを含むことが好ましい。また、受信機が、信号が最初の検出しきい値より大きいか、または等しいが、無効なＣＲＤコードを含んでいることを報告した場合に、信号を再送信するステップを含んでいることが好ましい。
【００１４】
【発明の実施の形態】
添付の図面を参照しながら、例示としての実施形態の以下の詳細な説明を読めば、本発明の上記およびその他の目的、特徴および利点が明らかになるだろう。ＵＭＴＳのＭＡＣ層に複数のしきい値を持つ検出方法、特にＲＡＣＨのランダム・アクセス・チャネルの、ランダム・アクセス要求信号の検出に関連して本発明を以下に説明する。しかし、本明細書の本発明の説明は、本発明を制限するものでないことを理解されたい。すなわち、本発明の検出方法は、遠隔ターミナル（例えば、移動または固定）が、基地局またはその他の通信システム・アクセス点へ  またそこへ信号（例えば、データおよび制御信号）を送受信する、他の通信信号にも適用することができる。また、複数のしきい値を持つ検出スキームは、遠隔ターミナルで受信機により実行することができる。ＲＡＣＨを通して遠隔ターミナルが送信した信号は、好適には、ＲＡＣＨが、ＵＭＴＳの短いメッセージ・サービス用に使用されている場合には、アクセス要求またはデータ・パケットであることが好ましいことを理解されたい。さらに、遠隔ターミナルまたは基地局で使用するための、本明細書に記載する方法は、それぞれ、それと関連する一つまたはそれ以上のプロセッサにより実行することができることを理解されたい。本明細書で使用する「プロセッサ」という用語は、ＣＰＵ（中央処理ユニット）またはマイクロプロセッサおよび関連するメモリを含む、任意の処理装置を含む。本明細書で使用する「メモリ」という用語は、ＲＡＭ、ＲＯＭ、固定メモリ装置（例えば、ハードディスク）、または取り外しができるメモリ装置（例えば、ディスケット）を含む。さらに、処理ユニットは、それ自身の中にデータを入力するための、キーパッドまたはキーボードのような、一つまたはそれ以上の入力装置、および、例えば、処理ユニットに関連する結果を提供するための、ＣＲＴディスプレイのような、一つまたはそれ以上の出力装置を含むことができる。従って、本発明の実行に関連するソフトウェア命令またはコードは、関連メモリに記憶することができ、使用できるようになった場合には、適当なＣＰＵにより、検索および実行することができる。また、「遠隔ターミナル」という用語は、基地局と通信することができる任意の装置を意味する。例えば、遠隔ターミナルは、移動タイプ（例えば、無線電話または無線モデムを備えるポータブルパソコン）のものであってもよいし、または固定タイプ（例えば、無線モデムを備える固定パソコン）のものであってもよい。また、本明細書においては、「基地局」および「ｎｏｄｅ＿ｂ」という用語は、同じものをさす。
【００１５】
図１に戻って説明するが、すでに説明したとおり、遠隔ターミナル２および４は、基地局６の無線インターフェースを通して、ＵＭＴＳアクセス・ネットワークに接続している。通信を確立するために、基地局６へ、また基地局６から、無線インターフェースを通して、メディアアクセス制御（ＭＡＣ）フレームを送受信する。ターミナル４の場合には、内部モデムまたは外部モデムを基地局との無線接続を行うために使用することができる。遠隔ターミナル２のような遠隔ターミナルは、通常、自分自身の内部モデムを持つ。しかし、パケットは、通常、遠隔ターミナルにおいて、バーストの形でランダムに発生し、受信される。パケットは、基地局にアップリンクにより送信されるまで、遠隔ターミナルにおいてバッファされる。基地局６は、周知のように、広域無線有効範囲を提供し、その各有効エリアから、例えば、図１のＵＭＳＣ１６のような、そのシステムの移動通信交換センターへの遠隔ターミナル・トラヒックを提供する。基地局は、また、そのセル内の一つまたはそれ以上の遠隔ターミナル宛のパケットを同報通信（ダウンリンク）する。ＵＭＴＳ多重アクセス・スキームは、その内部において、ランダム・アクセス・チャネル（ＲＡＣＨ）およびパケット送信チャネルがスロット毎に形成される、タイム・スロットを持つシステム（すなわち、スロット付きＡＬＯＨＡアプローチ）である。各チャネルのスロット持続時間は、実行した特定のシステムに基づいて選択される。通常、送信するパケットを持つ遠隔ターミナルは、ＲＡＣＨを通して基地局に送信アクセス要求を送信する。
【００１６】
図４Ａについて説明すると、この図は、本発明に従って使用される（例えば、遠隔ターミナル２および４）のブロック図である。遠隔ターミナルは、以下に詳細に説明する本発明の方法を含む、その関連メモリ４０４と協力して、自分自身に関連する動作を制御するためのプロセッサ４０２を含む。遠隔ターミナルは、また受信機セクション４０６および送信機セクション４０８を含む。受信機セクション４０６の特定の素子は、本発明の方法にとって重要なものではないので、ここでは詳細に説明しない。すなわち、Ｗ−ＣＤＭＡタイプの信号を復調し、解読することができる従来の受信機セクションを使用することができる。送信機セクション４０８も、また、例えば、データ信号および制御信号（例えば、アクセス要求およびデータ・パケット）のようなＷ−ＣＤＭＡタイプの信号をコード化でき、また変調できる、従来のタイプのものを使用することができる。送信機セクションは、図３Ｃに示すようなものであってもよい。図４Ａに示す制御信号ラインは、送信機セクション４０８に接続している。より詳細に説明すると、送信機セクション４０８が、図３Ｃに示すタイプのものである場合には、制御信号ラインは、アンプ８０の調整ターミナルに接続している。周知のように、この制御信号は、遠隔ターミナルが送信した信号の信号強度を調整するために使用される。上記調整については、本発明の一意の複数のしきい値を持つ検出技術のところでさらに詳細に説明する。
【００１７】
図４Ｂについて説明すると、この図は、本発明に従って使用するための基地局（例えば、基地局６）のブロック図である。上記基地局は、以下に詳細に説明する本発明の方法を含む、その関連メモリ４１２と協力して、自分自身に関連する動作を制御するためのプロセッサ４１０を含む。基地局、また受信機セクション４１４および送信機セクション４１６を含む。送信セクション４１４の特定の素子は、本発明の方法にとって重要なものではないので、ここでは詳細に説明しない。すなわち、Ｗ−ＣＤＭＡタイプの信号をコード化し、変調することができる従来の送信機受信機セクションを使用することができる。送信機セクションも、図３Ｃの送信機セクションに類似している。受信機セクション４１４も、また、Ｗ−ＣＤＭＡタイプの信号を復調し、解読することができる従来のタイプのものを使用することができる。例えば、受信機セクション４１４は、図３Ａに示すＲＡＣＨ受信機であってもよい。その場合、検出情報（例えば、しきい値検出装置４８から）および解読情報（例えば、ＣＲＣデコーダ５９から）は、本発明の一意の複数のしきい値を持つ検出技術のところで説明するように、プロセッサ４１０に送られる。
【００１８】
好適には、基地局のＲＡＣＨ受信機、および遠隔ターミナルの送信機により実行することが好ましい、本発明に係る複数のしきい値を持つ検出方法について以下に説明する。しかし、本発明は、ランダム・アクセス要求スキームでの使用に限定されないことを理解されたい。すなわち、複数のしきい値を持つ検出方法は、遠隔ターミナルの任意のタイプの受信機により、また基地局の任意のタイプの送信機により実行することができる。さらに、信号検出は、アクセス要求信号に限定されず、例えば、データ信号、制御信号または他のタイプの信号のような、任意のタイプの信号にも適用することができる。遠隔ターミナルおよび基地局の両方に関する、本発明の１実施形態の複数のしきい値を持つ検出方法については、図６Ａおよび図６Ｂを参照しながら、図５および図７のところで一緒に説明する。
【００１９】
図５および図７について説明すると、これらの図は、本発明の１実施形態の複数のしきい値を持つ検出方法のフローチャートである。図５のステップ（５０２−５２０）は、基地局で実行され、図７のステップ（７０２−７２０）は、遠隔ターミナルで実行される。最初に、ステップ５０２において、基地局は、基地局を介して、通信システムにアクセスを求めている遠隔ターミナルが送信した、おそらくは要求信号のような信号を受信する（ステップ７０２）。次に、ステップ５０４において、基地局は、上記信号が、ＤＴＨＲＥＳＨ１（検出しきい値レベル）を超えているかどうかを判断する。ＤＴＨＲＥＳＨ１は、例えば、約７ｄＢである。この判断は、例えば、しきい値検出装置４８（図３Ａ）により行うことができる。上記しきい値検出装置は、プロセッサ４１０（図４Ｂ）に報告する。その後で、ステップ５０６において、基地局は、ＣＲＣが有効であるかどうかを判断する。この判断は、例えば、ＣＲＣデコーダ５９（図３Ａ）により行うことができる。上記ＣＲＣデコーダは、プロセッサ４１０（図４Ｂ）に報告する。
【００２０】
上記信号がＤＴＨＲＥＳＨ１を超えていて、ＣＲＣが有効であることが分かった場合には、基地局は、「正確に受信」メッセージを（プロセッサ４１０により）発生し、（その送信機セクション４１６を通して）遠隔ターミナルに送信する（ステップ５０８）。遠隔ターミナルが（その受信機セクション４０６を通して）「正しく受信」メッセージを受信した場合には、ステップ７０４において、遠隔ターミナルは、そのアクセス要求が成功したことを知り（ステップ７０６）、必要なデータを基地局に送信することができる。
【００２１】
しかし、基地局に話を戻すが、ＣＲＣが有効でなかった場合には、基地局は、ステップ５１０において、アクセス要求信号が十分な電力を持っているが、ＣＲＣは無効であることを知らせるために、「ＤＴＨＲＥＳＨ１超過」メッセージを送信する。この遠隔ターミナル（ステップ７０８）が、このメッセージを受信すると、遠隔ターミナルは、上記信号の電力レベルを増大しないで、要求信号を再送信する（ステップ７１０）。
【００２２】
ここでの説明は、元のアクセス要求信号が、遠隔ターミナルおよび基地局に関して送受信された場合に発生することを説明しているが、基地局が信号（再送信信号またはもとの信号）を受信する度に、検出プロセスを反復するために、検出アルゴリズムはステップ５０２に戻ることを理解されたい。
【００２３】
基地局でのステップ５０４に話を戻すが、遠隔ターミナルが送信した元の信号が、ＤＴＨＲＥＳＨ１を超えていなかった場合には、基地局（しきい値検出装置）は、信号がＰＴＨＲＥＳＨ１を超えているかどうかを判断する（ステップ５１２）。ＰＴＨＲＥＳＨ１（電力しきい値レベル１）は、好適には、約５ｄＢであることが好ましいことを理解されたい。受信した元の信号の信号強度が、ＰＴＨＲＥＳＨ１を超えている場合には、基地局遠隔ターミナルは、「ＰＴＨＲＥＳＨ１超過」メッセージを送信する（ステップ５１４）。遠隔ターミナルがこのメッセージを受信すると（ステップ７１２）、遠隔ターミナルは、その信号強度を約１ｄＢだけ増大し、アクセス要求信号を再送信する（ステップ７１４）。遠隔ターミナルは、送信する信号の電力レベルを増大するために、その受信機セクション４０６から上記メッセージを受信し、その送信機セクション４０８に制御信号を送信するプロセッサ４０２により、特に出力アンプ８０により、信号強度を増大することを理解されたい。
【００２４】
基地局でのステップ５１２に話を戻すと、遠隔ターミナルが送信した元の信号が、ＰＴＨＲＥＳＨ１を超えなかった場合には、基地局（しきい値検出装置）は、信号がＰＴＨＲＥＳＨ２を超えたかどうかを判断する（ステップ５１６）。ＰＴＨＲＥＳＨ２（電力しきい値レベル２）は、好適には、３ｄＢであることを理解されたい。受信した元の信号の信号強度が、ＰＴＨＲＥＳＨ２を超えた場合には、基地局は、遠隔ターミナルに「ＰＴＨＲＥＳＨ１超過」メッセージを送信する（ステップ５１８）。遠隔ターミナルがこのメッセージを受信すると（ステップ７１６）、遠隔ターミナルは、その信号強度を約２ｄＢだけ増大し、アクセス要求信号を再送信する（ステップ７１８）。
【００２５】
しかし、元の信号がＰＴＨＲＥＳＨ２を超えない場合には、基地局は、メッセージを何も送信しない（ステップ５２０）。遠隔ターミナルは、元の信号を送信した後で、何もメッセージを受信しないので、遠隔ターミナルは、その信号強度を約３ｄＢだけ増大して、アクセス要求を再送信する（ステップ７２０）。
【００２６】
図６Ａについて説明すると、この図は、本発明の検出しきい値（ＤＴＨＲＥＳＨ１、ＰＴＨＲＥＳＨ１、ＰＴＨＲＥＳＨ２）の図面である。もっと微細な検出およびもっと粗い検出をそれぞれ行うことができるように、より高いまたはより低いしきい値を含めることができることを理解されたい。また、例えば、上記メッセージの送信をトリガするために、しきい値を超えなければならない信号ではなく、しきい値に等しい信号のような他のしきい値も使用することができる。都合のよいことに、通常の検出レベル以下のアクセス要求信号が、本発明の複数のしきい値を持つ検出方法を実行する受信機により、依然として検出されるので、そのため、これらの弱い信号を検出できない衝突効果（ｃｏｌｌｉｓｉｏｎ−ｅｆｆｅｃｔ）信号およびノイズから区別することができる。それ故、現在の検出アルゴリズムの場合には、信号１だけしか検出されないが、本発明の検出アルゴリズムの場合には、信号１、２、および３が検出される。最後に、図６Ｂは、図５および図７のところで説明した、送信側（遠隔ターミナル）と受信機（基地局）との間のメッセージの転送を示す図面である。メッセージ１、２および３は、受信機が送信した、メッセージ「ＤＴＨＲＥＳＨ１超過」、メッセージ「ＰＴＨＲＥＳＨ１超過」、およびメッセージ「ＰＴＨＲＥＳＨ２超過」に対応する。Ａで示す第一の影（斜線を引いた）部分のメッセージは、送信側が送信した元の信号である。その後で、再送信された各信号（ｒｅｔｘ）は、基地局のメッセージに応じて送信した信号に対応する。図に示すように、再送信された各信号の大きさは、信号強度の増大に比例する。再送信された各信号の振幅は、図に示すように、信号強度の増大に比例する。（影、すなわち、斜線を引いた）部分の元の信号の大きさは、比較のために再送信した信号の側面に図示してある。本発明によれば、他の電力増大も使用することができることを理解されたい。
【００２７】
本発明の方法および装置の場合には、通信システムの物理的レイヤを変更する必要がないことを理解されたい。物理的レイヤの受信通知およびＭＡＣレイヤの受信通知の代わりに、一つのＭＡＣレイヤの受信通知をすればよい。また、本発明の強化検出アルゴリズムを使用すれば、必要な場合にはいつでも、送信側は電力を増大することができ、干渉制限システムであるＵＭＴＳまたは広帯域ＣＤＭＡ（Ｗ−ＣＤＭＡ）システムの容量を増大することができる。
【００２８】
物理的ＲＡＣＨが、スロット付きＡＬＯＨＡアプローチに基づいて設計されることは周知である。遠隔ターミナルは、図８Ａに示すように、現在のセルの受信された同報通信制御チャネル（ＢＣＣＨ）のフレーム境界に対して、八つの明確に定義された時間的オフセット（アクセス・スロット＃１、．．．、アクセス・スロット＃ｉ、．．．、アクセス・スロット＃８）で、ランダム・アクセス・バースト１００を送信することができる。各アクセス・スロットは、前のスロットに対して、１．２５ミリ秒だけオフセットしている。図８Ｂに示すように、ランダム・アクセス・バーストは、二つの部分、すなわち、長さ１ミリ秒（ｍｓ）の前文部分１０２と、長さ１０ｍｓのメッセージ部分１０４、および前文部分とメッセージ部分との間に存在する、長さ０．２５ｍｓの空きの部分１０６からなる。長さ１６（５１２ゴールド・コード）の直交ゴールド・コード・セットに基づく、全部で１６の異なる前文の署名がある。使用できる署名および時間的オフセットに関する情報は、ＢＣＣＨにより放送される。この構造に基づいて、受信機が１２８（八つのタイムスロットで多重化された１６の前文署名）の並列処理ユニットを持っている場合には、１２８のランダム・アクセスの試みを同時に検出することができる。すなわち、現在のセルに対する最大構成基地局に対して、１２８の等価のランダム・アクセス・チャネルがあることになる。この装置は、ＵＴＲＡＮ／ＦＤＤ物理的レイヤ記述文書「ＳＭＧ２  ＵＭＴＳ物理的レイヤ記述ＦＤＤ部」、Ｔｄｏｃ  ＳＭＧ２  ＵＭＴＳ−Ｌ１  ２２１／９８の、現在のレイヤ１専門家グループ仕様によるものである。
【００２９】
図８Ｃについて説明すると、この図は、その内部において、フレーム構造（フレーム０、フレーム１、．．．、フレームｎ）が１０ミリ秒（ｍｓ）に基づいているＲＡＣＨアクセス・スロット構造である。また、受信機は一つのアクセス・バーストを処理するために、最低２．５ｍｓを必要とするものと仮定する。図に示すように、選択した時間的オフセット０、１、２、３、４および５を持つ、これらの遠隔ターミナルは、その送信から８．７５ｍｓの間に、（基地局から）ＭＡＣ受信通知を受信することができる。すなわち、スロット０〜５により、遠隔ターミナルが送信したアクセス・バースト（要求信号）に対しての最大待ち時間周期は、８．７５ｍｓである。例えば、バースト０は、遠隔ターミナルにより、フレーム０から送信され、遠隔ターミナルは、フレーム２、すなわち、８．７５ｍｓ遅れで、それに応じて受信通知を受信することができる。バースト１〜５は、バースト５まで、順次より早く受信通知を受信し、バースト５は、送信後、２．５ｍｓで受信通知を受信することができる。所与のフレームで送信するために、基地局が発生した受信通知は、通常、送信遠隔ターミナルへの、共通のパケット放送に一緒にグループ化される。
【００３０】
しかし、ご理解いただけると思うが、時間的オフセット６および７を選択したこれらのターミナルは、その送信の最大１１．２５ｍｓ以内に、そのＭＡＣレイヤ受信通知を受信することができる。すなわち、１１．２５ｍｓでバースト６を、１０ｍｓでバースト７を受信することができる。ここでもまた、一つのアクセス要求を処理するための最短時間は、２．５ｍｓであるとの仮定に基づいている。それ故、フレーム１で、遠隔ターミナルが送信したアクセス・バースト６または７は、２．５ｍｓの最短処理時間を超えてしまい、基地局は、上記要求を処理することができず、フレーム２により受信通知を送信する。それ故、上記遠隔ターミナルは、フレーム３までは各受信通知を受信しない。
【００３１】
本発明の強化検出アルゴリズムを使用すれば、受信機が、現在のＵＭＴＳ  ＲＡＣＨ手順より速くＭＡＣレイヤ受信通知を送信することができることを理解されたい。例えば、二つの遠隔ターミナルが、アクセス・バースト（要求信号）を送信するために、同じタイムスロット・オフセットを選択した場合を考えてみよう。現在ＵＭＴＳ  ＲＡＣＨ手順は、正しく受信されたかどうかを判断するために、データ・デコーダの出力を使用する。それ故、二つの送信側は、自分たちの送信が失敗する前に、約２０ミリ秒に間待機することになる。（全部のダウンリンク・フレームの受信が終了した後でなければ、受信通知インジケータを処理することはできない。）本発明の検出アルゴリズムを使用した場合には、好適には、物理的レイヤが、送信側に、適当な受信通知インジケータを発生するために、空き時間（アクセス・バーストのスタート後、約１．２５ミリ秒）の直後に、ＭＡＣレイヤに、適当なプリミティブを送信するものと仮定することが好ましい。それ故、上記二つの送信側は、自分たちが再送信したアクセス要求に対して、電力をどのくらい増大したらよいのかを知るために、最も長くても、約１０ミリ秒程度待てばよい。図８Ｃは、バースト６または７に関するその様子を示す。遠隔ターミナルが、従来の装置により、アクセス・バーストを送信した場合には、ターミナルは２０ミリ秒間、すなわち、フレーム３の基地局からダウンリンクされた送信を完全に受信するまで、何等表示を受信しない。しかし、複数の検出しきい値を持つアルゴリズムを使用した場合には、各遠隔ターミナルは、アクセス・バーストが失敗した場合には、（図８Ｃに極細線で示すように）必要な電力増大量を示すフレーム２の基地局からのメッセージを受信することができる。これは、本発明の複数の検出しきい値を持つアルゴリズムを使用する基地局は、アクセス・バーストが終了する前に、信号強度を検出し、次のフレームで、ターミナルに適当な受信通知メッセージを送信することができるからである。受信信号強度がＤＴＨＲＥＳＨ１を超える場合、基地局は、図８Ｃのバースト６または７に対しての受信通知を送信するには、フレーム３まで待たなければならない。
【００３２】
添付の図面を参照しながら、本発明の例示としての実施形態を説明してきたが、本発明は、これらの正確な実施形態に限定されるものではないこと、および当業者なら本発明の範囲および精神から逸脱することなしに、種々の他の変更および修正を行うことができることを理解されたい。
【図面の簡単な説明】
【図１】ＵＭＴＳアクセス・ネットワークのブロック図である。
【図２】ＵＭＴＳに関連するプロトコル・スタックの図面である。
【図３Ａ】ＵＭＴＳで使用するための、コヒーレントでないＲＡＣＨ受信機のブロック図である。
【図３Ｂ】現在の検出アルゴリズムを示す図面である。
【図３Ｃ】ＵＭＴＳで使用するための送信機のブロック図である。
【図４Ａ】本発明により使用する遠隔ターミナルのブロック図である。
【図４Ｂ】本発明により使用する基地局のブロック図である。
【図５】本発明の実施形態の基地局で実行する、複数のしきい値を持つ検出方法のフローチャートである。
【図６Ａ】図５の複数のしきい値を持つ検出方法の図面である。
【図６Ｂ】図５の複数のしきい値を持つ検出方法の図面である。
【図７】本発明の一実施形態の遠隔ターミナルで実行される、複数のしきい値を持つ検出方法のフローチャートである。
【図８Ａ】ＵＭＴＳのＲＡＣＨで使用するランダム・アクセス・バーストのアクセス・スロットである。
【図８Ｂ】ＵＭＴＳのＲＡＣＨで使用するランダム・アクセス・バーストの構造である。
【図８Ｃ】ＵＭＴＳのＲＡＣＨで使用するアクセス・スロットの構造である。
【図１】
0003712574.tif 000002
【図２】
0003712574.tif 000003
【図３Ａ】
0003712574.tif 000004
【図３Ｂ】
0003712574.tif 000005
【図３Ｃ】
0003712574.tif 000006
【図４Ａ】
0003712574.tif 000007
【図４Ｂ】
0003712574.tif 000008
【図５】
0003712574.tif 000009
【図６Ａ】
0003712574.tif 000010
【図６Ｂ】
0003712574.tif 000011
【図７】
0003712574.tif 000012
【図８Ａ】
0003712574.tif 000013
【図８Ｂ】
0003712574.tif 000014
【図８Ｃ】
0003712574.tif 000015